(57)【要約】【課題】  本発明は屋上躯体が高温になるのを防止して屋上躯体本体や遮熱層のひび割れ等の損傷を効率よく阻止し、屋上躯体の下部の部屋が高温になるのを防止して、快適に使用できるビル等の建物の屋上構造を得るにある。【解決手段】  周囲にパラペットが形成された、防水処理されたビル等の建物の屋上躯体と、この屋上躯体の表面に白色の防水塗料を塗布して形成した遮熱層とでビル等の建物の屋上構造を構成している。【選択図】  図３
2009068228.tif 000002
【特許請求の範囲】
【請求項１】
周囲にパラペットが形成された、防水処理されたビル等の建物の屋上躯体と、この屋上躯体の表面に白色の防水塗料を塗布して形成した遮熱層とからなることを特徴とするビル等の建物の屋上構造。
【請求項２】
ビル等の建物の屋上躯体は鉄筋コンクリートの屋上躯体本体と、この屋上躯体本体の上面を覆う防水シートと、この防水シートの上面を覆う上面に格子状の目地部が形成されたコンクリート層とで構成されていることを特徴とする請求項１記載のビル等の建物の屋上構造。
【請求項３】
ビル等の建物の屋上躯体は、上面に格子状の目地部が形成された鉄筋防水コンクリートで構成されていることを特徴とする請求項１記載のビル等の建物の屋上構造。
【発明の詳細な説明】
【技術分野】
【０００１】
本発明は鉄筋コンクリート製のビル等の建物の屋上構造に関する。
【背景技術】
【０００２】
従来のビル等の建物の屋上は、周囲にパラペットが形成された鉄筋コンクリート製の上面に、格子状の目地部が形成された屋上躯体の表面に灰色や黒色の防水塗料を塗布して防水層を形成して構成している。
【０００３】
このため、外気温が３０℃以上の高温になると、屋上躯体の表面温度が６０℃以上になるとともに、屋上躯体の下部の室内温度は５０℃にもなり、クーラーを使用しなければ室内にいることができないという欠点があるとともに、高温により、防水層や屋上躯体のひび割れが生じやすいという欠点があった。
【特許文献１】特になし
【発明の開示】
【発明が解決しようとする課題】
【０００４】
本発明は以上のような従来の欠点に鑑み、屋上躯体が高温になるのを防止して屋上躯体本体や遮熱層のひび割れ等の損傷を効率よく阻止し、屋上躯体の下部の部屋が高温になるのを防止して、快適に使用できるビル等の建物の屋上構造を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は周囲にパラペットが形成された、防水処理されたビル等の建物の屋上躯体と、この屋上躯体の表面に白色の防水塗料を塗布して形成した遮熱層とでビル等の建物の屋上構造を構成している。
【発明の効果】
【０００７】
以上の説明から明らかなように、本発明にあっては次に列挙する効果が得られる。
【０００８】
（１）周囲にパラペットが形成された、防水処理されたビル等の建物の屋上躯体と、この屋上躯体の表面に白色の防水塗料を塗布して形成した遮熱層とで構成されているので、遮熱層によって太陽光線を反射して、遮熱層、屋上躯体が高温になるのを防止することができる。
したがって、遮熱層や屋上躯体に高温になることによるひび割れが生じたりするのを確実に防止することができる。
【０００９】
（２）前記（１）により、遮熱層が高温にならないので、屋上躯体の表面にひび割れ対策としての目地部を形成しなくてもよく、楽に排水処理できる形状に形成することができる。
【００１０】
（３）前記（１）によって、屋上躯体の表面に白色の防水塗料を塗布して遮熱層を形成するだけでよいので、構造が簡単で、容易に実施することができる。
【００１１】
（４）前記（１）によって、周囲がパラペットで覆われているので、屋上躯体の上部を除く部位からは見ることができないので、ビル等の建物の美観を損なうことなく設置することができる。
【００１２】
（５）請求項２、３も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図３に示す本発明を実施するための最良の第１の形態において、１は本発明の屋上構造２が施されたビル等の建物で、このビル等の建物１の屋上構造２は周囲にパラペット３が形成された鉄筋コンクリートの屋上躯体本体４、この屋上躯体本体４の上面を覆う防水シート５、この防水シート５の上部を覆うコンクリート層６とからなる屋上躯体７と、この屋上躯体７のコンクリート層６の表面に白色の防水塗料、例えば弾性ビニロックスーパー（商品名）を塗布して形成した遮熱層８とで構成されている。  
【００１５】
上記構成のビル等の建物の屋上構造２にすると、屋上躯体７の表面に形成された遮熱層８の温度は、外気温が３２℃の場合に約４４℃で、通常使用されている灰色の屋上躯体の表面温度が約６４℃と比べて約２０℃の差が生じているので、高温によって遮熱層８や屋上躯体７のひび割れが生じるのを効率よく阻止することができる。
また、上記外気温の時の屋上躯体７の下部の室内９の温度は約４０℃であり、灰色の屋上躯体では約５０℃もあり、大きな遮熱効果が得られた。
[発明を実施するための異なる形態]
【００１６】
次に、図４ないし図８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図４および図５に示す本発明を実施するための第２の形態において、前記本発明を実施するための最良の第１の形態と主に異なる点は、防水コンクリートを用いて屋上躯体７Ａを形成した点で、このような屋上躯体７Ａを用いて構成したビル等の建物の屋上構造２Ａにしても、前記本発明を実施するための最良の第１の形態と同様な作用効果が得られる。
【００１８】
図６ないし図８に示す本発明を実施するための第３の形態において、前記本発明を実施するための最良の第１の形態と主に異なる点は、コンクリート層６の上面に格子状の目地部１０を形成し、この上面に遮熱層８を形成した点で、このように構成したビル等の建物の屋上構造２Ｂにしても、前記本発明を実施するための最良の第１の形態と同様な作用効果が得られるとともに、コンクリート層６の格子状の目地部１０によって遮熱層８やコンクリート層６のひび割れを効率よく防止することができる。
なお、格子状の目地部１０は前記本発明を実施するための第２の形態の屋上躯体７Ａの表面に形成しても同様な作用効果が得られる。
【産業上の利用可能性】
【００１９】
本発明はビル等の建物を建設したり、改造する産業で利用される。
【図面の簡単な説明】
【００２０】
【図１】本発明を実施するための最良の第１の形態の正面図。
【図２】本発明を実施するための最良の第１の形態の斜視図。
【図３】図１の３−３線に沿う断面図。
【図４】本発明を実施するための第２の形態の正面図。
【図５】図４の５−５線に沿う断面図。
【図６】本発明を実施するための第３の形態の正面図。
【図７】図６の７−７線に沿う断面図。
【図８】本発明を実施するための第３の形態のコンクリート層の説明図。
【符号の説明】
【００２１】
１：ビル等の建物、                                    ２、２Ａ、２Ｂ：屋上構造、
３：パラペット、                            ４：屋上躯体本体、
５：防水シート、                            ６：コンクリート層、
７、７Ａ：屋上躯体、                    ８：遮熱層、
９：室内、                                        １０：目地部。
【図１】
2009068228.tif 000003
【図２】
2009068228.tif 000004
【図３】
2009068228.tif 000005
【図４】
2009068228.tif 000006
【図５】
2009068228.tif 000007
【図６】
2009068228.tif 000008
【図７】
2009068228.tif 000009
【図８】
2009068228.tif 000010